(57)【要約】      （修正有）【課題】制御基板を基板ケースごと不正改造品に交換された場合においても、この不正行為を確実に検知することができる不正行為防止装置を提供する。【解決手段】ケース内部に遊技機ＰＭの作動を制御する主制御基板を収容保持して遊技機ＰＭに取り付けられる主基板ケースとを備えた遊技機の不正行為防止装置２００であって、主制御基板がケース内部に収容保持された状態において、ケース本体部材とケース蓋部材とに跨って貼付され、主制御基板の固有の管理識別データを有する封印シールと、封印シールにおける管理識別データを検出する識別コード検出器２２０と、封印シールにおいて管理識別データが検出されるか否かを判断する判断部２３３と、判断部２３３により、封印シールにおいて管理識別データが検出されないと判断されたときに警報信号を発する警報出力部２３４とを備えて構成される。【選択図】図６
2008237760.tif 000002
【特許請求の範囲】
【請求項１】
遊技機に取り付けられるケース本体部材と、前記ケース本体部材に開閉可能に装着されるケース蓋部材と、前記ケース本体部材に前記ケース蓋部材を閉止状態で装着して形成されるケース内部に前記遊技機の作動を制御する制御基板を収容保持して前記遊技機に取り付けられる基板ケースとを備えた遊技機の不正行為防止装置であって、
前記制御基板が前記ケース内部に収容保持された状態において、前記ケース本体部材と前記ケース蓋部材とに跨って貼付され、前記制御基板の固有の管理識別データを有するケース側識別シールと、
前記ケース側識別シールにおける前記管理識別データを検出する識別データ検出器と、
前記識別データ検出器により、前記ケース側識別シールにおいて前記管理識別データが検出されるか否かを判断する判断手段と、
前記判断手段により、前記ケース側識別シールにおいて前記管理識別データが検出されないと判断されたときに警報信号を発する警報手段とを備えたことを特徴とする遊技機の不正行為防止装置。
【請求項２】
遊技機に取り付けられるケース本体部材と、前記ケース本体部材に開閉可能に装着されるケース蓋部材と、前記ケース本体部材に前記ケース蓋部材を閉止状態で装着して形成されるケース内部に前記遊技機の作動を制御する制御基板を収容保持して前記遊技機に取り付けられる基板ケースとを備えた遊技機の不正行為防止装置であって、
前記制御基板が前記ケース内部に収容保持された状態において、前記ケース本体部材と前記ケース蓋部材とに跨って貼付され、前記制御基板の固有の管理識別データを有するケース側識別シールと、
前記遊技機に貼付され、前記制御基板の固有の前記管理識別データを有する遊技機側識別シールと、
前記ケース側識別シール及び前記遊技機側識別シールにおける前記管理識別データを検出する識別データ検出器と、
前記識別データ検出器により、前記ケース側識別シール及び前記遊技機側識別シールにおいて同一の前記管理識別データが検出されるか否かを判断する判断手段と、
前記判断手段により、前記ケース側識別シール及び前記遊技機側識別シールにおいて同一の前記管理識別データが検出されないと判断されたときに警報信号を発する警報手段とを備えたことを特徴とする遊技機の不正行為防止装置。
【請求項３】
前記判断手段は、前記遊技機の起動時に前記判断を行うように構成したことを特徴とする請求項１もしくは請求項２に記載の遊技機の不正行為防止装置。
【請求項４】
前記制御基板は、開閉可能な扉状部材と当該扉状部材の開閉状態を検出する開閉検出器とを有する前記遊技機の機体内部に取り付けられ、
前記判断手段は、前記開閉検出器において前記扉状部材の閉鎖が検出されたときに前記判断を行うように構成したことを特徴とする請求項１〜３のいずれかに記載の遊技機の不正行為防止装置。
【発明の詳細な説明】
【技術分野】
【０００１】
本発明は、遊技機の作動を制御する制御基板を内部に収容保持して遊技機に取り付けられる基板ケースを備える遊技機の不正行為防止装置に関する。
【背景技術】
【０００２】
パチンコ機やスロットマシン等の遊技機では、遊技機の作動を制御する制御基板に対する不正行為を防止して公正な遊技を提供するため、制御基板に何らかの不正行為がなされたとき、例えば、遊技プログラムを改ざんした不正ＲＯＭに交換されたり、制御基板の裏面側にいわゆるジャンパ線を飛ばして不正回路を付加したり等の不正改造が行われたときに、その状態を外部から目視検査できるように透明な基板ケースに収容された状態で遊技機に取り付けられている。
【０００３】
そして、制御基板に実装されたＲＯＭについては、ホログラム技術を利用した封印シールや層間剥離による不可逆性の封印シールを、基板ケースの合わせ目もしくはＲＯＭを跨いで基板面に貼付し、遊技施設の係員が封印シールの貼付状態を目視確認することで、基板ケースの不正開放もしくはＲＯＭの不正交換が行われたか否かを検査し得るようになっている（例えば、特許文献１）。また、基板ケースの構造に関しては、基板ケースの一部を壊さなければケースを開けることができない（制御基板にアクセスできない）構造のロック機構を視認容易な部位に複数設け、遊技施設の係員がロック機構の状態を目視確認することにより、不正行為の有無を検査し得るように構成された不正開放防止機構が種々提案され実用されている（例えば、特許文献２参照）。
【０００４】
【特許文献１】特開２００７−３３２号公報
【特許文献２】特許第３６９３１１３号公報
【発明の開示】
【発明が解決しようとする課題】
【０００５】
しかしながら、近年では不正行為者側の偽造技術が高度化しており、上記のような従来の不正行為防止対策では、制御基板に対する不正行為を確実に発見することが困難になりつつあり、特に制御基板を基板ケースごと不正改造品に交換された場合に、この不正行為を検知することが難しいという課題があった。
【０００６】
例えば、封印シールについては、不正行為者側の偽造印刷技術が高度化し、遊技施設の係員が封印シールを目視しても、その封印シールの真贋を正確に判断することが困難になってきている。基板ケースに関しても、正規の基板ケースを精巧にコピーして製作した偽造基板ケースと不正改造された不正制御基板とを組み合わせて、ロック機構が未開封状態の基板アッセンブリに交換された場合には、遊技施設の係員がロック機構を詳細に目視検査してもこの不正行為を検知することができない。また、予め不正取得した基板アッセンブリに対して、比較的検知されにくい基板ケースの裏面側から細いドリルや焼きごて等によりロック機構を壊して不正改造を行い、外見上は未開封品と相違が無いようにロック機構を偽装した基板アッセンブリに交換された場合、遊技機に取り付けられた状態の基板ケースを遊技施設の係員が目視確認しても、日常点検の範囲内でロック機構の偽装を検知することが困難になっている。このような不正行為は、後になってホールコンピュータの集計値から異常に気づき、基板アッセンブリを遊技機から取り外した詳細検査によって発見されるケースが多く、不正行為に基づく損害の発生を未然に防止することができないという課題があった。
【０００７】
本発明はこのような課題に鑑みてなされたものであり、制御基板に対する不正行為を容易に且つ確実に発見することができ、制御基板を基板ケースごと不正改造品に交換された場合においても、この不正行為を確実に検知することができる不正行為防止装置を提供することを目的とする。
【課題を解決するための手段】
【０００８】
上記課題を解決して目的を達成するため、第一の本発明は、遊技機（例えば、実施形態におけるパチンコ機ＰＭ）に取り付けられるケース本体部材（例えば、実施形態におけるケース本体部材５０）と、前記ケース本体部材に開閉可能に装着されるケース蓋部材（例えば、実施形態におけるケース蓋部材６０）と、前記ケース本体部材に前記ケース蓋部材を閉止状態で装着して形成されるケース内部に前記遊技機の作動を制御する制御基板（例えば、実施形態における主制御基板３１）を収容保持して前記遊技機に取り付けられる基板ケース（例えば、実施形態における主基板ケース１００）とを備えた遊技機の不正行為防止装置（例えば、実施形態における不正行為防止装置２００）であって、前記制御基板が前記ケース内部に収容保持された状態において、前記ケース本体部材と前記ケース蓋部材とに跨って貼付され、前記制御基板の固有の管理識別データを有するケース側識別シール（例えば、実施形態における封印シール２１０ａ）と、前記ケース側識別シールにおける前記管理識別データを検出する識別データ検出器（例えば、実施形態における識別コード検出器２２０）と、前記識別データ検出器により、前記ケース側識別シールにおいて前記管理識別データが検出されるか否かを判断する判断手段（例えば、実施形態における判断部２３３）と、前記判断手段により、前記ケース側識別シールにおいて前記管理識別データが検出されないと判断されたときに警報信号を発する警報手段（例えば、実施形態における警報出力部２３４）とを備えて構成される。
【０００９】
第二の本発明は、遊技機（例えば、実施形態におけるパチンコ機ＰＭ）に取り付けられるケース本体部材（例えば、実施形態におけるケース本体部材５０）と、前記ケース本体部材に開閉可能に装着されるケース蓋部材（例えば、実施形態におけるケース蓋部材６０）と、前記ケース本体部材に前記ケース蓋部材を閉止状態で装着して形成されるケース内部に前記遊技機の作動を制御する制御基板（例えば、実施形態における主制御基板３１）を収容保持して前記遊技機に取り付けられる基板ケース（例えば、実施形態における主基板ケース１００）とを備えた遊技機の不正行為防止装置（例えば、実施形態における不正行為防止装置３００）であって、前記制御基板が前記ケース内部に収容保持された状態において、前記ケース本体部材と前記ケース蓋部材とに跨って貼付され、前記制御基板の固有の管理識別データを有するケース側識別シール（例えば、実施形態における封印シール２１０ａ）と、前記遊技機に貼付され、前記制御基板の固有の前記管理識別データを有する遊技機側識別シール（例えば、実施形態における識別シール２１０ｂ）と、前記ケース側識別シール及び前記遊技機側識別シールにおける前記管理識別データを検出する識別データ検出器（例えば、実施形態における識別コード検出器２２０）と、前記識別データ検出器により、前記ケース側識別シール及び前記遊技機側識別シールにおいて同一の前記管理識別データが検出されるか否かを判断する判断手段（例えば、実施形態における判断部２３３）と、前記判断手段により、前記ケース側識別シール及び前記遊技機側識別シールにおいて同一の前記管理識別データが検出されないと判断されたときに警報信号を発する警報手段（例えば、実施形態における警報出力部２３４）とを備えて構成される。
【００１０】
第一及び第二の本発明において、前記判断手段は、前記遊技機の起動時に前記判断を行うように構成することが好ましい。
【００１１】
第一及び第二の本発明において、前記制御基板は、開閉可能な扉状部材と当該扉状部材の開閉状態を検出する開閉検出器（例えば、実施形態における開閉検出器８２）とを有する前記遊技機の機体内部に取り付けられ、前記判断手段は、前記開閉検出器において前記扉状部材の閉鎖が検出されたときに前記判断を行うように構成することが好ましい。
【発明の効果】
【００１２】
第一の本発明に係る遊技機の不正行為防止装置では、遊技機に取り付けられるケース本体部材と、ケース本体部材に開閉可能に装着されるケース蓋部材と、ケース本体部材にケース蓋部材を閉止状態で装着して形成されるケース内部に遊技機の作動を制御する制御基板を収容保持して遊技機に取り付けられる基板ケースとを備え、制御基板がケース内部に収容保持された状態において、ケース本体部材とケース蓋部材とに跨って貼付され、制御基板の固有の管理識別データを有するケース側識別シールと、ケース側識別シールにおける管理識別データを検出する識別データ検出器と、識別データ検出器により、ケース側識別シールにおいて管理識別データが検出されるか否かを判断する判断手段と、判断手段により、ケース側識別シールにおいて管理識別データが検出されないと判断されたときに警報信号を発する警報手段とを備えて構成される。
【００１３】
このように構成されるので、ケース側識別シールにおいて管理識別データが検出されない場合には、適正な基板ケースもしくは制御基板が装着されておらず異常があると判断されて警報信号が発せられる。したがって、外観上正規品と差異が無く、または巧妙な偽装により日常の目視点検では検知することが困難な不正改造品に対しても、かかる不正行為を確実に検知することができる。ここで、本明細書における「警報信号」とは、遊技機に設けられた電飾装置や画像表示装置を点滅させたり警告！の文字または図形を点滅表示させる等の視覚上の警報信号、遊技機のスピーカから警報音を発生させる聴覚上の警報信号のほか、遊技機を構成する各部（例えば、パチンコ機における遊技球発射装置や球払出装置等、スロットマシンにおけるリールユニットやメダル払出装置等）の作動を規制する規制信号を含み、さらに遊技島における視覚・聴覚上の警報信号や、遊技施設の管理室における同様の警報信号を含む概念である。
【００１４】
第二の本発明に係る遊技機の不正行為防止装置では、遊技機に取り付けられるケース本体部材と、ケース本体部材に開閉可能に装着されるケース蓋部材と、ケース本体部材にケース蓋部材を閉止状態で装着して形成されるケース内部に遊技機の作動を制御する制御基板を収容保持して遊技機に取り付けられる基板ケースとを備え、制御基板がケース内部に収容保持された状態において、ケース本体部材とケース蓋部材とに跨って貼付され、制御基板の固有の管理識別データを有するケース側識別シールと、遊技機に貼付され、制御基板の固有の管理識別データを有する遊技機側識別シールと、ケース側識別シール及び遊技機側識別シールにおける管理識別データを検出する識別データ検出器と、識別データ検出器により、ケース側識別シール及び遊技機側識別シールにおいて同一の管理識別データが検出されるか否かを判断する判断手段と、判断手段により、ケース側識別シール及び遊技機側識別シールにおいて同一の管理識別データが検出されないと判断されたときに警報信号を発する警報手段とを備えて構成される。このように構成されるので、ケース側識別シール及び遊技機側識別シールにおいて同一の管理識別データが検出されない場合には、適正な基板ケースもしくは制御基板が装着されておらず異常があると判断されて警報信号が発せられる。したがって、ケース側識別シールと遊技機側識別シールとの整合判断をすることによって、外観上正規品と差異が無く、または巧妙な偽装により日常の目視点検では検知することが困難な不正改造品に対しても、かかる不正行為をより確実に検知することができる。
【００１５】
第一及び第二の本発明において、判断手段が、遊技機の起動時に上記異常判断を行うような構成によれば、不正行為者により基板ケースに収容保持された制御基板（基板アッセンブリ）が正規品から不正改造品に交換されて以降、遊技機を起動したときに警報信号が発せられるため、不正改造された制御基板による不公正な遊技が開始される以前に防止され、不正行為に基づく損害の発生を未然に防止することができる。
【００１６】
また、第一及び第二の本発明において、判断手段が、開閉検出器において扉状部材の閉鎖が検出されたときに上記異常判断を行うような構成によれば、不正行為者により制御基板（基板アッセンブリ）が正規品から不正改造品に交換され扉状部材が閉鎖されたときに警報信号が発せられる。このため、例えば、遊技施設の係員が扉状部材を開放した状態で呼び出し等により席を外した隙に不正改造品に交換されたような場合であっても、扉状部材の閉鎖時に警報信号が発せられ、不正行為に基づく損害の発生を未然に防止することができる。
【発明を実施するための最良の形態】
【００１７】
以下、本発明の好ましい実施形態について図面を参照して説明する。本発明を適用した遊技機の一例としてパチンコ機ＰＭの正面図、背面図及び背面斜視図をそれぞれ図１、図２及び図３に示しており、これらの図を参照してパチンコ機ＰＭの全体構成について概要説明する。
【００１８】
パチンコ機ＰＭは、外郭方形の所定枠サイズに構成されて縦向きの固定保持枠をなす外枠１の開口前面に、これに合わせた方形枠サイズに構成された開閉搭載枠をなす前枠２が互いの正面左側縁部に配設された上下のヒンジ機構３ａ，３ｂにより前方に横開き開閉及び着脱が可能に取り付けられ、正面右側縁部に設けられた施錠機構４を利用して常には外枠１に閉鎖施錠された状態で保持される。
【００１９】
前枠２の前面側には、前側面域に合わせた方形状のガラス扉５及び球皿ユニット６が正面左側部に設けられたヒンジ機構７ａ，７ｂ，７ｃを利用して横開き開閉及び着脱が可能に組付けられ、常には施錠機構４と利用して外枠１に閉鎖状態で保持される。球皿ユニット６の右側下部には遊技球の発射操作を行う操作ハンドル８が設けられ、操作ハンドル８の左方には効果音を発生するスピーカ９が設けられている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００２０】
遊技盤１０は、積層合板の表面に所定意匠のセルを貼り付けた化粧板１１（ベニヤ板とも称される）を基板として構成され、化粧板１１の前面側に内外の案内レール１２が円弧状に固設され、この案内レール１２で囲まれた内側に、遊技球発射装置（図示せず）から打ち出された遊技球が転動可能な略円形の遊技領域ＰＡが区画される。
【００２１】
遊技領域ＰＡには、多数本の遊技釘や風車１３とともに、一般入賞具や始動具並びに大入賞口を備えたアタッカー等の入賞具１４、及び遊技の進行状況に応じて所定の画像を表示させる画像表示装置１５が設けられている。遊技領域ＰＡの下端には、入賞具１４に入賞せずに遊技領域ＰＡの下端まで落下した遊技球（「アウト球」という）を、遊技盤１０の裏面に排出させるアウト口１６が設けられている。各入賞具１４に落入した遊技球（「セーフ球」という）は、これらの入賞具１４に設けられた入賞口スイッチ又は始動口スイッチにより検出され、化粧板１１を貫通するセーフ球通路（図示せず）を通って遊技盤１０の裏面に排出される。また、アウト口１６に集められたアウト球は、化粧板１１を貫通するアウト球通路（図示せず）を通って遊技盤１０の裏面側に排出される。ガラス扉５及び遊技盤１０の各部には、遊技展開を視覚的に演出するＬＥＤやランプ等の光源を用いた電飾装置１７が設けられている。
【００２２】
以上のように構成されたパチンコ機ＰＭは、前枠２、ガラス扉５及び球皿ユニット６がともに閉止され施錠された状態で遊技に供され、球皿ユニット６に遊技球を貯留させて操作ハンドル８を回動操作することにより遊技が開始される。操作ハンドル８が回動操作されると、球皿ユニット６に貯留された遊技球が遊技球発射装置（図示せず）により１球ずつ遊技盤１０の遊技領域ＰＡに打ち出され、以降パチンコゲームが展開される。
【００２３】
遊技盤１０の後方に位置する前枠２の裏面側には、パチンコ機ＰＭの作動を統括的に制御する主制御基板３１（図４参照）が収容された主基板アッセンブリ３０や、主制御基板３１における遊技展開に応じて遊技盤１０に設けられた画像表示装置１５に表示される画像の制御を行う画像制御基板（図示せず）が収容された画像制御基板アッセンブリ４０が取り付けられている。また、図６に示すように（図２及び図３において不図示である）、遊技盤１０の後面側の各部には、主電源スイッチを有しパチンコ機ＰＭ内の各部に電源を供給する電源基板８０、パチンコ機ＰＭの種々の情報を基体外部に出力するターミナル基板８１などが取り付けられ、これらがコネクタケーブルで接続されてパチンコ機ＰＭが作動可能に構成される。さらに、前枠２には、外枠１に対する前枠２の開閉状態を検出する開閉検出器８２が設けられており、その検出信号が後述するコントロールユニット２３０に入力される。なお、以降の説明においては、図２及び図３の状態を基準にして前後左右、及び上下を定義する（図３参照）。
【００２４】
遊技盤１０の中央部には、画像表示装置１５を取り付けるための開口部１８が形成されており、この開口部１８を挟むように遊技盤１０の裏面側の左右縁部に画像アッセンブリ取付部１９ａ，１９ｂが配設されている。画像制御基板アッセンブリ４０の左右両側部の上下には合計４個の取付突起部４０ａ，４０ｂが形成されており、この取付突起部４０ａ，４０ｂがネジ締結等で画像アッセンブリ取付部１９ａ，１９ｂに取り付けられて画像制御基板アッセンブリ４０が遊技盤１０に固定される。
【００２５】
また、遊技盤１０の下部における裏面側の左右縁部には、主基板取付部２０ａ，２０ｂが配設されており、この主基板取付部２０ａ，２０ｂに主基板アッセンブリ３０が取り付けられている。なお、主基板取付部２０ａ，２０ｂは、画像アッセンブリ取付部１９ａ，１９ｂよりも後方に突出するように形成されており、主基板アッセンブリ３０の上部が、後面視において、画像制御基板アッセンブリ４０の下部を後方から覆うように遊技盤１０に取り付けられている。このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００２６】
次に、主基板アッセンブリ３０について図４，５を参照して説明する。主基板アッセンブリ３０は、パチンコ機ＰＭの作動を統括的に制御する主制御基板３１と、主制御基板３１を内部に収容する主基板ケース１００（図７参照）とから構成される。さらに、主基板ケース１００は、遊技盤１０の裏面側に着脱されるケース本体部材５０と、このケース本体部材５０に着脱自在に取り付けられるケース蓋部材６０とから構成される。
【００２７】
主基板アッセンブリ３０は、主制御基板３１がケース蓋部材６０の内面側に取り付けられた状態で、このケース蓋部材６０をケース本体部材５０に装着可能に構成される。なお、主基板アッセンブリ３０の主基板取付部２０ａ，２０ｂに対する固定は、ケース本体部材５０の左側部から外方に延びた左側固定部５８に取り付けられた左ナイラッチ（登録商標）３６と、ケース蓋部材６０の右側部から外方に延びた右側固定部６８に取り付けられた右ナイラッチ（登録商標）３７とが用いられる（図２，３参照）。
【００２８】
図４に示すように、主制御基板３１は矩形板状の形状を有しており、後面には中央部に配設されたＲＯＭやＲＡＭを内臓のＣＰＵ等の電子デバイス３２や左右に配設された接続コネクタ３３，３３，・・・等の電子部品、及び両面に配設された複数の配線パターン（図示せず）を有して構成される。この主制御基板３１の四隅には、基板取付孔３４，３４，…が形成されており、基板取付ネジ３５，３５，…を各基板取付孔３４に挿入し、図５に示すケース蓋部材６０の基板取付部６７，６７，・・・に対して螺挿してネジ締結するように構成されている。
【００２９】
ケース本体部材５０は、主基板ケース１００が遊技盤１０に取り付けられた状態で後面側に開口を有する矩形箱状の形状を有しており、ＡＢＳ樹脂やポリカーボネート（ＰＣ）等の透明な樹脂材料を用いて成形される。このケース本体部材５０の内面側底部５１には、補強リブ５１ａが縦横に格子状に形成されており、ケース本体部材５０の強度を向上させている。
【００３０】
ケース本体部材５０の本体部材側壁部（図４においては、底部５１の上下の縁部から後方に延びる側壁部）５３，５３のそれぞれには、複数の蓋部材取付溝５４が形成されている。この蓋部材取付溝５４は、後方及びケース本体部材５０の内面側に開口する挿入溝部と左側に延びてケース本体部材５０の内面側に開口する係止溝部とから構成され、図３の状態において下方もしくは上方から見たときに本体部材側壁部５３に対してＬ字状の溝として形成されている。また、本体部材側壁部５３の内側の壁面と平行に、蓋部材取付溝５４のそれぞれと対向するように、蓋部材押圧壁５２が底部５１から後方に板状に延びて形成されている。この蓋部材押圧壁５２の左右方向幅は、蓋部材取付溝５４の左右方向幅と略同一の大きさに形成されており、図３の状態において上方もしくは下方から見たときに、蓋部材押圧壁５２と蓋部材取付溝５４とは重なるように配置されている。さらに、下側の本体部材側側壁部５３には、後述する封印シール２１０ａを貼付するシール貼付切欠部５９が形成されている。
【００３１】
ケース蓋部材６０は、ケース本体部材５０の開口を覆う矩形箱状の形状を有しており、ＡＢＳ樹脂やポリカーボネート（ＰＣ）等の透明な樹脂材料を用いて一体的に成形される。図５に示すように、このケース蓋部材６０の上下の縁部から前方に延びる蓋部材側壁部６６には、外方（図４においては上下方向）に突出する係止突起部６２が複数形成されている。この係止突起部６２は、上記の蓋部材取付溝５４と同じ数だけ形成されており、その配置間隔も蓋部材取付溝５４と対応している。また、この蓋部材側壁部６６の内側面には、各々の係止突起部６２と対応して内方に突出する押圧突起部６１が形成されている。この押圧突起部６１は、係止突起部６２に対してケース本体部材５０にケース蓋部材６０を取り付けるときにスライド移動させる方向と反対方向にずれて形成されている。
【００３２】
そのため、ケース本体部材５０に対してケース蓋部材６０を取り付けるときは、図３の状態において後方から蓋部材取付溝５４の挿入溝部に係止突起部６２を挿入し、その後、ケース蓋部材６０を左右方向（この実施形態においては左方向）にスライド移動させて係止突起部６２を蓋部材取付溝５４の係止溝部に挿入させることで、係止突起部６２と蓋部材取付溝５４とを嵌合させる。
【００３３】
このとき、係止突起部６２を蓋部材取付溝５４の挿入溝部に挿入した状態では、押圧突起部６１は、蓋部材押圧壁５２の右方に位置するが、この状態からケース蓋部材６０をケース本体部材５０に対して左方にスライド移動させ、係止突起部６２が蓋部材取付溝部５４の係止溝部に挿入させた状態では、蓋部材側壁部６６の外側面と本体部材側壁部５３の内側面とが密接し、押圧突起部６１は本体部材側壁部５３と蓋部材押圧壁５２とに狭持される。
【００３４】
ケース本体部材５０とケース蓋部材６０とを以上のように構成すると、ケース本体部材５０にケース蓋部材６０を取り付けたときに、係止突起部６２が蓋部材取付溝５４と嵌合するため、ケース蓋部材６０はケース本体部材５０に対して後方への移動（ケース本体部材５０からケース蓋部材６０を外すための移動）が規制される。また、蓋部材側壁部６６は、押圧突起部６１と蓋部材押圧壁５２とによりケース本体部材５０の内側面に押しつけられて密接しているため、蓋部材側壁部６６を内側に押し込むことができず、係止突起部６２を蓋部材取付溝５４から外すことができない。
【００３５】
ケース本体部材５０の左端部には本体側仮止部５５が形成されており、ケース蓋部材６０の左端側には蓋側仮止部６３が形成されている。ケース本体部材５０にケース蓋部材６０が取り付けられたとき、すなわち、ケース本体部材５０に対してケース蓋部材６０が左方向にスライド移動して取り付けられたときに、これらの本体側仮止部５５と蓋側仮止部６３との位置は一致して係合し、ケース蓋部材６０がケース本体部材５０に対して右方向にスライド移動するのを規制する。なお、ケース本体部材５０及びケース蓋部材６０は、上述のように、樹脂材料で薄く形成されており容易に撓めることができる。そのため、蓋側仮止部６３の左端側を本体側仮止部５５から離すように撓めることにより本体側仮止部５５と蓋側仮止部６３との係合は解除され、ケース本体部材５０に対してケース蓋部材６０を右方にスライド移動して、このケース蓋部材６０をケース本体部材５０から取り外すことができる。
【００３６】
このように、主制御基板３１が収容される主基板ケース１００を、互いに分離できるケース本体部材５０とケース蓋部材６０とに分けて構成することにより、主制御基板３１をケース蓋部材６０に取り付けるときは、このケース蓋部材６０の開口部を上方に向けて作業机等に載置した状態で行うことができるので、取り付け作業が容易になり組み立ての作業効率が向上する。また、ケース蓋部材６０をケース本体部材５０に取り付けるときも、スライド移動だけで取り付けることができるので、この作業も容易である。さらに、このようにケース本体部材５０にケース蓋部材６０をスライド移動して取り付ける構成にすると、ケース本体部材５０側に蓋部材取付溝５４を形成し、ケース蓋部材６０に係止突起部６２を形成することで取り付け構造ができるため、主基板ケース１００の構造を簡単にすることができる。
【００３７】
以上のように、主制御基板３１は、主基板ケース１００（ケース本体部材５０及びケース蓋部材６０）内に格納されているため、主制御基板３１に対する不正行為を防止することができる。しかしながら、ケース本体部材５０に対してケース蓋部材６０が取り付けられた状態にあるときは、本体側仮止部５５と蓋側仮止部６３とが係合しているだけであり、ケース本体部材５０からケース蓋部材６０を取り外すことは容易である。そこで、閉止状態にあるケース蓋部材６０をケース本体部材５０に対してスライド移動できなくして不正操作を防止するために、主基板アッセンブリ３０の主基板ケース１００には不正開放防止機構７０（図７参照）が設けられている。
【００３８】
不正開放防止機構７０は、図４に示すように、ケース本体部材５０の左端側に連結して一体に形成された４つの本体側係合部５６と、ケース蓋部材６０の左端側に切断可能な連結部６５を介し連結して形成された４つの蓋側係合部６４（ケース蓋部材６０から蓋側係合部６４を分離可能である）と、蓋側係合部６４に挿入されて、ケース本体部材５０にケース蓋部材６０を固定保持する４つのストッパ部材７１とから構成される。
【００３９】
ケース蓋部材６０をケース本体部材５０に対してスライド移動させて蓋側係合部６４が本体側係合部５６と対向して重なる状態にすると、蓋側係合部６４に挿入されたストッパ部材７１に設けられた係合爪と本体側係合部５６の設けられた係合凹部とが係合して、本体側係合部５６と蓋側係合部６４とが係止保持され、ケース本体部材５０に対するケース蓋部材６０の右方向へのスライド移動が規制される。そのため、ケース本体部材５０にケース蓋部材６０が装着された状態、すなわち、係止状態が保持される。これにより、本体側係合部５６と蓋側係合部６４とをストッパ部材７１を介して容易に連結させることができ、ケース本体部材５０とケース蓋部材６０とを閉止状態で容易に連結保持することができる。
【００４０】
このような不正開放防止機構７０によりケース本体部材５０とケース蓋部材６０とが閉止状態で結合保持されれば、本体側係合部５６と係合したストッパ部材７１との係合を解除するのは非常に困難であり、主基板ケース１００（主基板アッセンブリ３０）を開くためには、連結部６５を切断して蓋側係合部６４をケース蓋部材６０から切り離す必要がある。そのため、主基板ケース１００の解放後は、連結部６５の切断痕跡が明確に残るため、不正な開放を早期に発見できるとともに、不正行為を効果的に抑止できる。
【００４１】
パチンコ機ＰＭでは、上記不正開放防止機構７０に加えて、二次元コードによって構成される識別コードを利用した不正行為防止装置２００が設けられている。図６，７に示すように、不正行為防止装置２００は、主制御基板３１の固有の管理識別データを有する識別コードが印刷された封印シール２１０ａと、封印シール２１０ａが有する主制御基板３１の管理識別データを検出する識別コード検出器２２０と、識別コード検出器２２０から入力される検出信号に基づいた制御を行うコントロールユニット２３０などから構成される。
【００４２】
封印シール２１０ａは、矩形シート状のベースシート２１１ａを有しており、ベースシート２１１ａの貼り付け面には粘着剤が塗布され粘着剤層２１２ａが形成されている。ベースシート２１１ａは粘着力に比して破れ易く、一旦貼付されると破らずにはがすことは困難となっている。また、粘着剤層２１２ａの粘着剤は、一度貼り付けされた後に剥がされるとベースシート２１１ａから剥がれる程度の粘着力を有しており、封印シール２１０ａが剥がされた場合には再度貼り付けることが不可能であり、さらには粘着剤層２１２ａの一部が主基板ケース１００側に残ることとなり、封印シール２１０ａを不正に剥がした痕跡が残るように構成されている。
【００４３】
封印シール２１０ａは、図７に示すように、ケース本体部材５０とケース蓋部材６０とが不正解放機構７０により閉止状態で結合保持され、内部に主制御基板３１を収容した状態で、ケース蓋部材６０の蓋部材側壁部６６とケース本体部材５０の本体部材側壁部５３とに跨って、各ケース部材の外側面に貼り付けられる。ケース蓋部材６０とケース本体部材５０との境界部（合わせ目）上に位置する封印シール２１０ａの表面には、主制御基板３１に固有に割り当てられた管理識別データを二次元コード化したＱＲラベル２１３ａが印刷されて記載されている。ここで、管理識別データは、例えば、遊技施設のコード、パチンコ機ＰＭの種別、主制御基板３１のシリアル番号等の情報により構成された管理番号である。ＱＲラベル２１３ａは、この管理番号に基づいて暗号化されたランダムナンバーを生成して特定のコードに変換したものであり、遊技機の製造メーカまたは納品先の遊技施設以外の第三者に対しては知り得ないように秘密が保持され、第三者が管理識別データの内容を再生することができないように構成される。
【００４４】
識別コード検出器２２０は、封印シール２１０ａに記載されたＱＲラベル２１３ａのイメージ情報を撮像して入力する撮像部と、イメージ情報をコード情報として読み取る読取部とから構成され、封印シール２１０ａに記載されたＱＲラベル２１３ａのイメージ情報を取得し、そのイメージ情報をコード情報に変換して主制御基板３１に固有に割り当てられた管理識別データである遊技施設のコード、パチンコ機ＰＭの種別、主制御基板３１のシリアル番号等の情報を検出する。
【００４５】
コントロールユニット２３０は、封印シール２１０ａに記載されたＱＲラベル２１３ａを検出して識別コード検出器２２０から入力される検出信号に基づいた制御を行う制御装置である。このコントロールユニット２３０は、図６に示すように、検出制御部２３１、記憶部２３２、判断部２３３、警報出力部２３４などを備えて構成される。コントロールユニット２３０には、識別コード検出器２２０から検出信号が入力される。
【００４６】
検出制御部２３１は、識別コード検出器２２０の作動を制御する制御部であり、所定のタイミングにおいて識別コード検出器２２０に作動信号を出力し、識別コード検出器２２０によって封印シール２１０ａに記載されたＱＲラベル２１３ａのイメージ情報を取得し、そのイメージ情報をコード情報に変換して封印シール２１０ａに記載された主制御基板３１に固有に割り当てられた管理識別データを検出する。記憶部２３２には、正規の主制御基板３１に固有に割り当てられた基準管理識別データが予め記憶されている。
【００４７】
判断部２３３は、検出制御部２３１から識別コード検出器２２０に作動信号が出力された状態において、識別コード検出器２２０によって、封印シール２１０ａに記載されたＱＲラベル２１３ａのイメージ情報を取得して該イメージ情報をコード情報に変換して検出されるケース側検出データ（管理識別データ）と記憶部２３２に予め設定された正規の主制御基板３１の基準管理識別データとを比較する。そして、ケース側検出データと基準管理識別データとが一致する場合には、適正な主基板ケース１００（主制御基板３１）が装着されており正常であると判断する。一方、ケース側検出データと基準管理識別データとが一致しない場合には、適正な主基板ケース１００が装着されておらず異常があると判断する。警報出力部２３４は、判断部２３３において正常であると判断されたときには警報信号を出力せず、パチンコ機ＰＭを通常どおり作動させる。一方、判断部２３３において異常があると判断されたときには警報信号を出力して警報作動させる。
【００４８】
警報作動には、種々の作動形態があるが、例えばパチンコ機ＰＭの電飾装置１７を点滅させたり、遊技盤１０の中央部に設けられた画像表示装置１５に「警告！」の文字または図形等を反転表示させるなど、視覚的に異常を報知する警報作動、パチンコ機ＰＭに設けられた効果音発生用のスピーカ９から警報音を発生させるような聴覚的に異常を報知する警報作動、パチンコ機ＰＭの遊技球発射装置や球払出装置（図示せず）等の作動を規制することで遊技の実行を阻止し異常を報知する警報作動などのうち、少なくともいずれかの警報作動が行われる。また、警報出力部２３４は、ターミナル基板８１（図６参照）の外部出力端子に警報信号を出力する。遊技施設では、この警報信号を利用して遊技島に設けられたランプやスピーカに視覚・聴覚上の警報作動を行わせ、遊技施設の管理室に設けられたランプやスピーカ、ホールコンピュータ等に同様の警報作動を行わせることができる。
【００４９】
このような構成の不正行為防止装置２００では、検出制御部２３１が所定のタイミングで識別コード検出器２２０に作動信号を出力し、判断部２３３が識別コード検出器２２０によって検出されるケース側検出データと記憶部２３２に設定記憶された基準管理識別データとを比較して一致するか否かを判断する。そして、判断部２３３においてケース側検出データと基準管理識別データとが一致する場合、すなわち適正な主基板ケース１００（主制御基板３１）が装着されており正常であると判断された場合には、警報出力部２３４は警報信号を出力することなくパチンコ機ＰＭを通常どおり作動させる。一方、ケース側検出データと基準管理識別データとが一致しない場合には、適正な主基板ケース１００が装着されていない（異常がある）と判断して警報出力部２３４が警報信号を出力して上述したような警報作動を行わせる。
【００５０】
このため、遊技施設の係員は警報作動の有無によって適正な主制御基板３１が装着されているか否かを判断することができ、たとえ外観上正規の主制御基板アッセンブリ３０と差異が無い不正改造品に対しても、かかる不正行為を確実に検知することができる。また、封印シール２１０ａは、粘着力に比して破損し易く構成されており、主基板ケース１００を不正に開放しようとした際に、ケース蓋部材６０とケース本体部材５０との境界部（合わせ目）上の位置に記載されたＱＲラベル２１３ａが破損して管理識別データを検出することができず、主基板ケース１００の不正開放を確実に発見することができる。また、管理識別データが二次元コード化したＱＲラベル２１３ａによって記載されているので、主制御基板３１の情報に加えて遊技機等の多くの情報を限られたスペースで記載することができるとともに、封印シール２１０ａを複製しにくくすることができる。
【００５１】
上記「所定の検査タイミング」については種々の設定が可能であるが、例えば、電源基板８０において主電源スイッチがＯＮとされ、電源基板から起動信号が入力されたとき（一定の遅延時間設定を含む）を検査タイミングとして設定することができる。主制御基板３１の交換は、この基板に接続されたコネクタケーブルの着脱によるショートや主制御基板３１に実装された半導体素子の損傷を防止するため、主電源スイッチを一旦ＯＦＦにしてコネクタの端子間に電位差が無くなった状態で行われなければならない。検査タイミングをパチンコＰＭの起動時とした設定によれば、不正行為者により主制御基板３１が主基板ケース１００ごと不正改造品に交換されて以降、パチンコ機ＰＭを起動したときに警報作動がなされる。このため、不正改造が遊技施設の営業時間中に行われた場合はもとより、遊技施設の係員が不在の深夜に行われたような場合であっても、パチンコ機ＰＭを起動した直後、すなわちパチンコ機ＰＭが不正改造された主制御基板での遊技に供される以前に、異常があることを検知することができ、不正行為に基づく損害の発生を未然に防止することができる。
【００５２】
また、上記「所定の検査タイミング」を、パチンコ機ＰＭの前枠２に設けた開閉検出器８２の検出信号から、前枠２が外枠１に閉鎖されたときに設定することもできる。主制御基板３１を交換するためには、遊技島に固定された外枠１に対して前枠２を開放しなければならず、遊技は前枠２を外枠１に閉鎖施錠した状態で行われる。検査タイミングを前枠２の閉鎖時とした設定によれば、不正行為者により主制御基板３１を基板ケース１００ごと不正改造品に交換したのち、前枠２が閉鎖されたときに警報作動がなされる。このため、例えば、遊技施設の係員が前枠２を開放した状態で呼び出し等により席を外した隙に不正改造品に交換されたような場合や、不正行為者が密かに前枠２を開放して不正改造品に交換したような場合であっても、前枠２を閉鎖したときに警報作動がなされる。したがって、遊技施設の係員は、前枠２の閉鎖直後、すなわち不正改造された主制御基板３１での遊技に供される以前に、異常があることを検知することができ、不正行為に基づく損害の発生を未然に防止することができる。
【００５３】
次に第二実施形態に係る不正行為防止装置３００について説明する。なお、第二実施形態に係る不正行為防止装置３００の構成は、前述した第一実施形態に係る不正行為防止装置２００の構成と基本的に同一のため、同一の構成部材には同一の符号を付して詳細な説明は省略する。図６〜８に示すように、不正行為防止装置３００は、主制御基板３１の固有の管理識別データを有する識別コードが印刷された封印シール２１０ａ及び識別シール２１０ｂと、封印シール２１０ａ及び識別シール２１０ｂが有する主制御基板３１の管理識別データを検出する識別コード検出器２２０と、識別コード検出器２２０から入力される検出信号に基づいた制御を行うコントロールユニット２３０などから構成される。
【００５４】
識別シール２１０ｂは、矩形シート状のベースシート２１１ｂを有しており、ベースシート２１１ｂの貼り付け面には粘着剤が塗布され粘着剤層２１２ｂが形成されている。ベースシート２１１ｂは粘着力に比して破れ易く、一旦貼付されると破らずに剥がすことは困難となっている。また、粘着剤層２１２ｂの粘着剤は、一度貼り付けされた後に剥がされるとベースシート２１１ｂから剥がれる程度の粘着力を有しており、識別シール２１０ｂが剥がされた場合には再度貼り付けることが不可能であり、さらには粘着剤層２１２の一部が遊技盤１０の後面側に残ることとなり、識別シール２１０ｂを不正に剥がした痕跡が残るように構成されている。
【００５５】
識別シール２１０ｂは、例えば、図８に示すような遊技盤１０の後方に位置する前枠２の裏面側の所定の位置に貼り付けられ、表面には封印シール２１０ａと同様の主制御基板３１に固有に割り当てられた管理識別データを二次元コード化したＱＲラベル２１３ｂが印刷されて記載されている。ここで、管理識別データは、例えば、遊技施設のコード、パチンコ機ＰＭの種別、主制御基板３１のシリアル番号等の情報により構成された管理番号である。ＱＲラベル２１３ｂは、この管理番号に基づいて暗号化されたランダムナンバーを生成して特定のコードに変換したものであり、遊技機の製造メーカまたは納品先の遊技施設以外の第三者に対しては知り得ないように秘密が保持され、第三者が管理識別データの内容を再生することができないように構成される。
【００５６】
識別コード検出器２２０は、封印シール２１０ａ及び識別シール２１０ｂに記載されたＱＲラベル２１３ａ，２１３ｂのイメージ情報をそれぞれ撮像して入力する撮像部と、各イメージ情報をコード情報として読み取る読取部とから構成され、封印シール２１０ａ及び識別シール２１０ｂに記載されたＱＲラベル２１３ａ，２１３ｂの各イメージ情報を取得し、そのイメージ情報をコード情報に変換して主制御基板３１に固有に割り当てられた管理識別データである遊技施設のコード、パチンコ機ＰＭの種別、主制御基板３１のシリアル番号等の情報をＱＲラベル２１３ａ，２１３ｂのそれぞれにおいて検出する。
【００５７】
コントロールユニット２３０は、封印シール２１０ａ及び識別シール２１０ｂに記載されたＱＲラベル２１３ａ，２１３ｂを検出して識別コード検出器２２０から入力される検出信号に基づいた制御を行う制御装置である。このコントロールユニット２３０は、図６に示すように、検出制御部２３１、記憶部２３２、判断部２３３、警報出力部２３４などを備えて構成される。コントロールユニット２３０には、識別コード検出器２２０から検出信号が入力される。
【００５８】
検出制御部２３１は、識別コード検出器２２０の作動を制御する制御部であり、所定のタイミングにおいて識別コード検出器２２０に作動信号を出力し、識別コード検出器２２０によって封印シール２１０ａ及び識別シール２１０ｂに記載されたＱＲラベル２１３ａ，２１３ｂのイメージ情報をそれぞれ取得し、そのイメージ情報をコード情報に変換して封印シール２１０ａ及び識別シール２１０ｂに記載された主制御基板３１に固有に割り当てられた管理識別データをそれぞれ検出する。記憶部２３２には、正規の主制御基板３１に固有に割り当てられた基準管理識別データが予め記憶されている。
【００５９】
判断部２３３は、検出制御部２３１から識別コード検出器２２０に作動信号が出力された状態において、識別コード検出器２２０によって、封印シール２１０ａに記載されたＱＲラベル２１３ａのイメージ情報を取得して該イメージ情報をコード情報に変換して検出されるケース側検出データ（管理識別データ）と識別シール２１０ｂに記載されたＱＲラベル２１３ｂのイメージ情報を取得して該イメージ情報をコード情報に変換して検出される遊技機側検出データ（管理識別データ）と記憶部２３２に予め設定された正規の主制御基板３１の基準管理識別データとを比較する。そして、ケース側検出データと遊技機側検出データと基準管理識別データとが一致する場合には、適正な主基板ケース１００（主制御基板３１）が装着されており正常であると判断する。一方、ケース側検出データと遊技機側検出データと基準管理識別データとが一致しない場合には、適正な主基板ケース１００が装着されておらず異常があると判断する。警報出力部２３４は、判断部２３３において正常であると判断されたときには警報信号を出力せず、パチンコ機ＰＭを通常どおり作動させる。一方、判断部２３３において異常があると判断されたときには警報信号を出力して第一実施形態と同様に警報作動させる。
【００６０】
このような構成の不正行為防止装置３００では、検出制御部２３１が第一実施形態において述べたような所定のタイミングで識別コード検出器２２０に作動信号を出力し、判断部２３３が識別コード検出器２２０によって検出されるケース側検出データと遊技機側検出データと記憶部２３２に設定記憶された基準管理識別データとを比較して一致するか否かを判断する。そして、判断部２３３においてケース側検出データと遊技機側検出データと基準管理識別データとが一致する場合、すなわち適正な主基板ケース１００（主制御基板３１）が装着されており正常であると判断された場合には、警報出力部２３４は警報信号を出力することなくパチンコ機ＰＭを通常どおり作動させる。一方、ケース側検出データと遊技機側検出データと基準管理識別データとが一致しない場合には、適正な主基板ケース１００が装着されていない（異常がある）と判断して警報出力部２３４が警報信号を出力して上述したような警報作動を行わせる。
【００６１】
このため、ケース側検出データと基準管理識別データとの整合判断に加えて遊技機側検出データとの整合判断も行うことによって、適正な主制御基板３１が装着されているか否かを確実に判断することができ、たとえ外観上正規の主制御基板アッセンブリ３０と差異が無い不正改造品に対しても、かかる不正行為をより確実に検知することができるとともに、不正行為に基づく損害の発生を未然に防止することができる。
【００６２】
本発明は上記の実施形態に限定されるものではなく、例えば、封印シール２１０ａ及び識別シール２１０ｂが有する主制御基板３１の管理識別データの検出は、遊技施設の係員が読取リーダ（図示せず）を用いて定期的に行うこともできる。また、管理識別データがＱＲラベル２１３ａ，２１３ｂによって記載されている場合、例えば、カメラ付携帯電話によって管理識別データの認識をすることができ、ＱＲラベル２１３ａ，２１３ｂにアドレス情報を組み込んでおけば、遊技機ＰＭの製造メーカのサイトなどにおいて管理情報の開示や整合確認などを行うサービスも提供できる。このように遊技施設の係員がカメラ付携帯電話によって管理識別データを検出する場合には、読取リーダ等の機器が不要となり遊技施設のコスト等の負担を少なくすることができる。
【００６３】
なお、本実施形態において封印シール２１０ａは、主基板ケース１００の一箇所に貼り付けてられているが数箇所に貼り付けてもよく、封印シール２１０ａ及び識別シール２１０ｂの貼り付け箇所等は適宜に定められる。また、封印シール２１０ａ及び識別シール２１０ｂには、管理識別データが二次元コード化したＱＲラベル２１３ａ，２１３ｂによって記載されているが、ベースシートと粘着剤層の間に管理識別データを格納したＩＣチップを設けるなど、多くの情報を限られたスペースで記載することができるものが好ましい。さらに、本実施形態では、主基板アッセンブリ３０において不正行為防止装置２００（３００）を用いたが、他の基板アッセンブリにおいても同様に不正行為防止装置２００（３００）を設けて、このような不正行為を確実に検知することが好ましい。
【図面の簡単な説明】
【００６４】
【図１】本発明に係る遊技機の一例として示すパチンコ機の正面図である。
【図２】上記パチンコ機の背面図である。
【図３】上記パチンコ機の背面斜視図である。
【図４】上記パチンコ機に設けられた主基板アッセンブリの分解斜視図である。
【図５】ケース蓋部材を示す図であって、（ａ）は平面図であり、（ｂ）は底面図である。
【図６】本発明に係る不正行為防止装置の構成を示すブロック図である。
【図７】主基板ケースにおける封印シールの構成を示す要部拡大図である。
【図８】遊技盤の後面における識別シールの構成を示す図である。
【符号の説明】
【００６５】
ＰＭ    パチンコ機（遊技機）
３１    主制御基板（制御基板）
５０    ケース本体部材（ケース本体部材）
６０    ケース蓋部材（ケース蓋部材）
８２    開閉検出器（開閉検出器）
１００  主基板ケース（基板ケース）
２００，３００  不正行為防止装置（不正行為防止装置）
２１０ａ  封印シール（ケース側識別シール）
２１０ｂ  識別シール（遊技機側識別シール）
２１３ａ，２１３ｂ  ＱＲラベル
２２０  識別コード検出器（識別データ検出器）
２３０  コントロールユニット
２３１  検出制御部
２３２  記憶部
２３３  判断部（判断手段）
２３４  警報出力部（警報手段）
【図１】
2008237760.tif 000003
【図２】
2008237760.tif 000004
【図３】
2008237760.tif 000005
【図４】
2008237760.tif 000006
【図５】
2008237760.tif 000007
【図６】
2008237760.tif 000008
【図７】
2008237760.tif 000009
【図８】
2008237760.tif 000010